(57)【要約】【課題】  製袋時に小袋による製品へのダメージがなく、小袋を包装体の中心等に位置させることができる製袋装置を提供すること【解決手段】  天板２４ａの両側縁にそれぞれ下方に延びる側壁２４ｂ，２４ｃを有し、一方の側壁２４ｂは平坦な面に形成され、他方の側壁はその下方に内側に延びる底板２４ｄが形成される。底板の先端と一方の側壁と間に第１エンドレスベルト４４を配置する。帯状フィルム２１の一方側縁に貼付けられた小袋は、フィルムの折り曲げに伴い回転・反転するが、進入側では小袋はまっすぐに下がった状態で製品に当たらず、その後にフィルム部製品の下側に折り曲げられたときも、小袋と製品との間にエンドレスベルトが介在するため、小袋が製品に突き刺さってダメージを与えることがない。【選択図】        図４
2011178444.tif 000002
【特許請求の範囲】
【請求項１】
ピロー包装機に用いられ、帯状フィルムの両端縁を下方に折り曲げて製品を包む製袋装置であって、
底板の一部又は全部を開放した製袋器と、
その開放した部位に配置する前記製品の搬送路と、
を備え、
前記帯状フィルムの一方側縁には小袋が貼付けられており、その小袋が貼り付けられたフィルム部位が、
前記製袋器における前記開放した部位の側壁であり、且つ、前記搬送路の下側位置において折り曲げられるようにしたこと
を特徴とする製袋装置
【請求項２】
前記搬送路の少なくとも一部は、ベルトコンベアで構成されることを特徴とする請求項１に記載の製袋装置。
【請求項３】
前記前記搬送路の少なくとも一部は、フリーローラで構成されることを特徴とする請求項１または２に記載の製袋装置。
【請求項４】
前記製袋器は、天板の両側縁にそれぞれ下方に延びる側壁を有し、一方の側壁は平坦な面に形成され、他方の側壁はその下方に内側に延びる底板が形成され、
前記一方の側壁において前記フィルム部位が折り曲げられることを特徴とする請求項１から３のいずれかに記載の製袋装置。
【請求項５】
前記製袋器は、天板の両側縁にそれぞれ下方に延びる平坦な面からなる側壁を有し、これらの側壁の一方において前記フィルム部位が折り曲げられることを特徴とする請求項１から３のいずれか１項に記載の製袋装置。
【請求項６】
前記搬送路よりも下側に位置する前記側壁の下端部を中央内側に傾くガイド部とし、同ガイド部において前記フィルム部位が折り曲げられることを特徴とする請求項５に記載の製袋装置。
【請求項７】
請求項１から６のいずれか１項に記載の製袋装置と、
その製袋装置の上流側に配置され、前記製袋器内に供給する前記製品を搬送する製品搬送手段と、
前記製袋装置に一定間隔で小袋が貼り付けられた状態で帯状のフィルムを供給するフィルム供給手段と、
前記製袋装置の下流側に設けられ、前記製袋装置を通過して筒状に製袋されたフィルムの所定位置をシールするシール手段と、
その筒状に製袋されたフィルムを横方向にカットするカット手段と、
を備えたことを特徴とするピロー包装機。
【請求項８】
ピロー包装において製袋器に供給する帯状フィルムの両側縁を下方に折り曲げて筒状とする製袋方法であって、
前記製袋器に連続して供給する前記帯状フィルムの一方側縁には子袋が貼り付けられており、
その小袋が貼り付けられたフィルム部位を、前記製袋器における底板の一部又は全部を開放した部位の側壁であり、且つ、製品の搬送位置より下側において折り曲げを行った後、前記帯状フィルムを筒状に形成することを特徴とする製袋方法。
【発明の詳細な説明】
【技術分野】
【０００１】
本発明は、製袋装置及びそれを備えたピロー包装機並びに製袋方法に関し、特に、製品とともに脱酸素剤（エージレス（登録商標））等の小袋を封入した包装体を製造する際に用いられる装置に関する。
【背景技術】
【０００２】
よく知られているように、ピロー包装機は、原反ロールに巻き取られた帯状フィルムを連続して製袋器に供給し、その製袋器を通過させる際に筒状に製袋される。そして、製袋器の下流側に配置されたセンターシール装置にて、製袋器を通して筒状に製袋されて重ね合わされたフィルム重合端をシールすることにより筒状フィルムを形成する。また、この製袋器の上流側には製品搬送供給装置を配置し、その製品搬送供給装置から所定間隔毎に搬送される製品が、製袋器内に供給される。これにより、製品が製袋器内を通過すると、筒状フィルム内に所定間隔毎に収納されることになり、その製品は筒状フィルムとともに搬送される。そして、ピロー包装機の搬出側に配置されたエンドシール装置にて、筒状フィルムを所定間隔毎に横方向に横断するようにシール・カットすることにより、製品を内包する包装体が製造される。
【０００３】
ところで、製品が食品の場合、品質保持のために脱酸素剤などの小袋が、製品とともに包装体内に同封される。係る包装体を製造するには、原反ロールから製袋器に至る帯状フィルムの搬送経路において、包装体の内面となる帯状フィルムの下面に小袋を貼着することで、内面に小袋が貼り付けられた包装体を製造することができる。この場合、小袋を帯状フィルムの幅方向中央部に貼着すると、小袋が包装体のおもて面に位置することになり、外観上好ましくない。そのため、小袋の貼着位置をフィルム端部とすることが行われている。これにより、図１（ａ）に示すように、袋体１内に製品２と小袋３とが収納された包装体４が製造され、しかも、小袋３は、包装体４の裏面側となる袋体１のセンターシール部１ａの近傍の内面に位置する。なお、センターシール部１ａに直交する袋体１の両端もシールされてエンドシール部１ｂとなり、包装体４は密封される。この種の小袋を同封する包装体を製造する包装装置としては、例えば特許文献１がある。
【先行技術文献】
【特許文献】
【０００４】
【特許文献１】特開平９−２２６８４３号公報
【発明の概要】
【発明が解決しようとする課題】
【０００５】
上記のように、小袋の貼着位置を帯状フィルムの端部とした場合、帯状フィルムが製袋器を通過する際、小袋は帯状フィルムの進入角度がきつくなる製袋器の側面を通過することになるため エージレスは製袋器入口で進行方向が急に変えられ、反転に近い挙動を示す。このときに角部が製品と接触したり、突き刺さったりすれば、製品にダメージを与えてしまうおそれがある。特に、製品が軟らかかったり脆かったりするものの場合には、係る問題は顕著になる。
【０００６】
また、係る事態の発生を防止するため、製品と小袋の製袋器に入るタイミングをわずかにずらせる対応をとることがある。しかしながら、そのように製品と小袋の製袋器に入るタイミングをずらせて包装すれば、図１（ｂ）に示すように包装体４における小袋３の位置が中心からずれた位置になるため、見栄えが良くない。さらに、上記の小袋の反転時に小袋が製品に接触してダメージを与えることに鑑みれば、小袋が製袋器の側面に進入して反転する際に当該小袋が製品に接触しないようにするようにタイミングを計ることになる。その結果、小袋３は製品２の外周縁よりも外側に突出した位置関係になり、エンドシール部１ｂに接近した位置となる。そして、この包装体４をハサミなどにて切り裂いて開封する場合、袋体１のうち製品２とエンドシール部１ｂとの間のフィルム部位を切断することになるが、このとき、開封者の不注意により、小袋３が接近位置しているエンドシール部１ｂ側を切断すると、誤って小袋も一緒に切ってしまい、小袋の内容物を周囲にばらまいてしまうおそれもある。
【課題を解決するための手段】
【０００７】
上述した課題を解決するために、本発明に係る製袋器は、（１）ピロー包装機に用いられ、帯状フィルムの両端縁を下方に折り曲げて製品を包む製袋装置であって、底板の一部又は全部を開放した製袋器と、その開放した部位に配置する前記製品の搬送路と、を備え、前記帯状フィルムの一方側縁には小袋が貼付けられており、その小袋が貼り付けられたフィルム部位が、前記製袋器における前記開放した部位の側壁であり、且つ、前記搬送路の下側位置において折り曲げられるように構成した。
【０００８】
すなわち、通常の製袋器では、帯状のフィルムの両側縁のフィルム部位は、ともに製袋器の入り口側で一気に断面略ロ字状の製袋器の内周面に沿うように折り曲げられ、製袋器に供給されてくる製品の周囲（上面・両側面・下面）を包み込むが、本発明では、製袋器の下方が開放されている部位の側壁に沿って折り曲げられたフィルム部位は、そのまま下に垂れ下がった状態となり、それから製品の下面に向って折り曲げられる。よって、そのように小袋が貼付けられたフィルム部位が製袋器の側面に沿ってその姿勢が回転したとしても、小袋は一方の側壁に沿って下方に位置した状態にあるので、そのフィルム部位に貼り付けられた小袋も製品に接触してダメージを与えることがない。そして、製袋器の入り口側から離れた位置で小袋が貼り付けられたフィルム部位が折り曲げられて、製品の下側に位置し、筒状にフィルムを製袋し、製品を包み込むことができる。
【０００９】
（２）前記搬送路の少なくとも一部は、ベルトコンベアで構成されることができる。このようにすると、製版をスムーズに搬送することができる。（３）前記前記搬送路の少なくとも一部は、フリーローラで構成されるようにしてもよい。例えば、下記の（４）の発明のように、製品の下面の一部が底板に沿って折り曲げられたフィルムの上に載っている場合、フィルムが搬送されることから、製品はそのフィルムから搬送力を受けることができる。係る場合には、製袋器の開放部位に設けられた搬送路からは、必ずしも搬送力を受ける必要はなく、フリーに回転するローラ（コロ）とすれば、フィルムと共に搬送する製品に接触したローラは、自転するため、係る搬送の邪魔をすることはない。
【００１０】
（４）前記製袋器は、天板の両側縁にそれぞれ下方に延びる側壁を有し、一方の側壁は平坦な面に形成され、他方の側壁はその下方に内側に延びる底板が形成され、前記一方の側壁において前記フィルム部位が折り曲げられることができる。これが、好適な一実施形態に対応する。係る構成にすると、ベルトコンベア等の搬送路の挿入・設置のし易さと、袋状への成形のし易さをバランス良く備えることができる。
【００１１】
（５）前記製袋器は、天板の両側縁にそれぞれ下方に延びる平坦な面からなる側壁を有し、これらの側壁の一方において前記フィルム部位が折り曲げられるようにしてもよい。この発明は、図６（ａ）に示す実施形態により実現される。このようにすると、製袋器の下方が完全に開放するので、ベルトコンベア等の搬送路を挿入配置しやすくなる。
【００１２】
（６）前記搬送路よりも下側に位置する前記側壁の下端部を中央内側に傾くガイド部とし、同ガイド部において前記フィルム部位が折り曲げられるようにしても良い。この発明は、図６（ｂ）に示す実施形態により実現される。実施形態では、ガイド面は、平板状の傾斜面としているが、湾曲した曲面としてもよい。このようにすると、（５）の発明に比べると、帯状のフィルムの両側がガイド面に案内されて内側に導かれることから、袋状に形成しやすくなる。
【００１３】
（７）本発明に係るピロー包装機は、（１）から（６）のいずれかに記載の製袋装置と、その製袋装置の上流側に配置され、前記製袋器内に供給する前記製品を搬送する製品搬送手段と、前記製袋装置に一定間隔で小袋が貼り付けられた状態で帯状のフィルムを供給するフィルム供給手段と、前記製袋装置の下流側に設けられ、前記製袋装置を通過して筒状に製袋されたフィルムの所定位置をシールするシール手段と、その筒状に製袋されたフィルムを横方向にカットするカット手段と、を備えて構成した。シール手段は、実施形態では、センターシール装置とエンドシール装置により実現される。また、実施形態では、エンドシールするシール手段とカット手段とがエンドシール装置にて一体に形成されているが、分離して形成してももちろん良い。
【００１４】
（８）本発明に係る製袋方法は、ピロー包装において製袋器に供給する帯状フィルムの両側縁を下方に折り曲げて筒状とする製袋方法であって、前記製袋器に連続して供給する前記帯状フィルムの一方側縁には子袋が貼り付けられており、その小袋が貼り付けられたフィルム部位を、前記製袋器における底板の一部又は全部を開放した部位の側壁であり、且つ、製品の搬送位置より下側において折り曲げを行った後、前記帯状フィルムを筒状に形成するようにした。
【発明の効果】
【００１５】
本発明では、製袋器に進入する際に帯状のフィルムの折り曲げと共に回転する小袋によって製品にダメージを与えることがなくなる。そのため、小袋を包装体の中心等（製品の外周から大きくはみ出ない箇所）に位置させることができめ、見栄えを損なうことがない。
【図面の簡単な説明】
【００１６】
【図１】ピロー包装体の一例を示す図である。
【図２】本発明に係るピロー包装機の好適な一実施形態を示す正面図である。
【図３】製袋装置部分を拡大して示す底面図である。
【図４】製袋装置部分を拡大して示す側面図である。
【図５】製袋装置部分を拡大して示す斜視図である。
【図６】他の実施形態を示す製袋装置部分を拡大して示す側面図である。
【発明を実施するための形態】
【００１７】
図２は、本発明が適用されるピロー包装機の一実施の形態を示している。ピロー包装機１０は、上流側から順に製品搬送供給装置１１，包装機本体１２，搬出コンベア装置１３を配置している。
【００１８】
製品搬送供給装置１１は、製品１４を一定間隔毎に搬送するとともに、次段の包装機本体１２に順次供給するもので、フィンガーコンベア装置から形成されている。すなわち、前後に配置されたスプロケット１５（図では、前方のみ描画）間に掛け渡されたエンドレスチェーン１６に対し、一定間隔で押送フィンガー１７を取り付けて構成される。そして、前後の押送フィンガー１７間に製品１４を供給することにより、製品１４を押送フィンガー１７のフィンガーピッチで搬送する。また、製品１４は、例えば「どら焼き」のような軟らかい食品などである。
【００１９】
包装機本体１２は、原反ロール２０から連続して引き出された帯状フィルム２１を各種のローラ２２（図では代表して１つのみ描画）に掛け渡しながら製袋器２４に導くように構成し、その帯状フィルム２１を製袋器２４に通過させることにより、筒状に製袋する。また、この帯状フィルム２１の搬送経路の途中には、小袋供給装置４０が配置される。この小袋供給装置４０は、その帯状フィルム２１の所定位置に小袋４２を貼り付けるもので、例えば特許文献１等に開示された装置を用いることができる。そして、本実施形態では、小袋４２を、帯状フィルム２１の幅方向の片側に寄らせた一方の側縁近傍（図３から図５参照）に、包装ピッチ間隔で貼り付けるようにしている。さらに、帯状フィルム２１の進行方向に沿った小袋の貼り付け位置は、製袋器２４（筒状に製袋されたフィルム）内における製品１４に重なる位置に設定している(図３参照)。小袋４２は、例えば、脱酸素剤などの鮮度保持剤が充填されたものである。なお、特許文献１における小袋供給装置４０は、帯状の剥離紙に対して適宜の間隔で貼り付けられた小袋を１つずつ剥がしながら帯状フィルム２１に順次貼り付けるようにしたが、本発明はこれに限ることはなく、小袋自体が連続したテープ状につながったものを用意し、カッター装置で先頭から１つずつ切断して分離した小袋に接着剤を塗布するとともに帯状フィルム２１の所定位置に貼り付けるなど、各種の装置を用いることができる。
【００２０】
一方、製袋器２４の下流側には、製袋器２４を通過して筒状に製袋された帯状フィルム２１の両側縁を重ね合わせた部位を挟み込んで搬送力を与えるピンチローラ２９と、その重ね合わせた部位をシールするセンターシール装置２７と、製品１４を内包する筒状フィルム２５の搬送路を構成する下部ベルト２６が、その順に設けられている。さらに、その下部ベルト２６の上方所定位置に上部抑えベルト２８が配置され、さらにその進行方向前方にエンドシール装置３０が配置されている。上部抑えベルト２８は、エンドシール装置３０の手前側に配置し、製品１４が上方に浮き上がるのを抑制する。これにより、筒状フィルム２５の所定位置（製品１４の存在しない部分）がエンドシール装置３０で正しくシール・カットされ、製品１４の噛み込みが発生するのを抑制する。
【００２１】
エンドシール装置３０は、上下に対向して配置された一対のトップシーラ３１，３２を備えている。上側のトップシーラ３１はその下面がシール面３１ａとなり、下側のトップシーラ３２はその上面がシール面３２ａとなる。さらに、上側のトップシーラ３１の下方には、カッター刃を内蔵している。そして、両トップシーラ３１，３２はもそれぞれのシール面３１ａ，３２ａを対向させた状態を維持しながら、互いに接近離反移動したり前後移動したりすることで、略矩形の軌跡で移動する。そして、両トップシーラ３１，３２が互いに接近移動し、シール面３１ａ，３２ａ同士が筒状フィルム２５の所望部位（前後の製品１４の間）上下から挟み込み熱シールするとともに、カッター刃にて筒状フィルム２５が横方向にカットされる。これにより、筒状フィルム２５の先端部分（先頭の製品１４を内包する部分）は、分離され、包装体３４が製造される。そして、この包装体３４が搬出コンベア装置１３上を搬送される。
【００２２】
これらのピロー包装機としての基本構成は、従来と同様であるので、詳細な説明を省略する。もちろん、本発明が適用されるピロー包装機は、これ以外にも各種の構成を用いることができる。エンドシール装置も、ボックスモーションタイプに限ることはなく、その場で昇降移動する（前後移動はしない）タイプや、回転式など各種のものに適用できる。
【００２３】
ここで本実施形態では、製袋器２４の形状を従来から用いられている一般的なもの（断面略ロ字状：天板の両側縁に側壁を垂下させ、それぞれの側壁の下端を内側に折り曲げて底板を設けた形状）と相違させている。具体的には、図４に示すように、天板２４ａの両側縁には、それぞれ下方に向けて略９０度に折り曲げた側壁２４ｂ，２４ｃを備えているが、一方の側壁２４ｃは、そのまま真っすぐに延びた平坦な面としている。これにより、帯状フィルム２１は、製袋器２４の内周面に沿って変形されるので、その帯状フィルム２１の進行方向に沿った中心から一方の側壁２４ｂ側の半分のフィルム部位は、一方の側壁２４ｂに沿って下方に導かれるように曲げられるが、そのまま、真っすぐ下方に延びた状態にガイドされることになる（図４，図５参照）。そして、係るフィルム部位に小袋４２を貼り付けるようにする。このように小袋４２は、真っすぐ下方に延びるフィルム部位に貼り付いているので、製袋器２４に進入前の平坦な帯状フィルム２１に貼り付いている状態から、側壁２４ｃに沿ったフィルム部位に貼り付いている状態では、その姿勢は略９０度回転する程度で済み（図５参照）、従来のように一気に天地が反転する（１８０度回転する）ほど勢いよく回転はしないし、回転移動範囲内では製品に接触することもない。また、小袋４２が貼り付けられている帯状フィルム部位は、第１ベルトコンベア４４の搬送面よりも下側位置で折り曲げられるので、反転する小袋４２が製品１４と接触することを避けることができる。そして、小袋４２は、その後もそのように側壁２４ｃに沿ってまっすぐに下がったフィルム部位に貼り付いた起立状態で製袋器２４内を移動するし、仮に当該フィルム部位が内側に折り曲がり、それに伴い小袋４２もさらに回転して製品１４に近づいてきたとしても、製品１４の下面側には後述するように搬送路を構成する第１ベルトコンベア４４が存在しているので、いずれにしても、小袋４２が製品１４に接触してダメージを与えることがない。
【００２４】
また、他方の側壁２４ｂには、その下端に内方に向けて折り曲げられた底板２４ｄが連続して設けられている。これにより、帯状フィルム２１の反対側の半分のフィルム部位は、天板２４ａ，側壁２４ｂ，底板２４ｄに沿ってガイドされて筒状に湾曲した形状となる。さらに、底板２４ｄの先端２４ｄ′は、下方に折り曲げられた鍔部となり、帯状フィルム２１の側縁部２１ａは、その先端２４ｄ′に沿って下方にガイドされる。
【００２５】
換言すると、天板２４ａ，側壁２４ｂ，底板２４ｄは、従来からある一般的な製袋器と同様の構成を採っており、一方の側壁２４ｃ側が、製袋器２４の底が抜けた開放状態となっている。このように、側壁２４ｃ側が平坦な面でまっすぐに下方に延びる状態は、全長に渡って形成される。よって、本来底板が形成される部位が開放されているとともに、帯状フィルム２１の側縁も、製袋器２４のほぼ全長に渡って側壁２４ｃに沿って下方に垂れ下がったままであるため、そのままでは、製袋器２４内を移動する製品１４が安定して搬送されず、場合によっては落下してしまうおそれもある。
【００２６】
そこで、製品搬送供給装置１１の搬出端側と、製袋器２４の間に渡りベルトコンベアを設けるが、図３に示すように、左右２本に分けて小幅の搬送路を構成する第１ベルトコンベア４４と第２ベルトコンベア４５を平行に配置した。そして、側壁２４ｃ側の第１ベルトコンベア４４の先端部が製袋器２４の内部まで延長して設けている。これにより、製品１４は、製袋器２４内ではこの第１ベルトコンベア４４と、側壁２４ｂから底板２４ｄに沿って湾曲したフィルムとにまたがった状態で搬送される。
【００２７】
さらに本実施形態では、第１ベルトコンベア４４の下流側先端は、製袋器２４の下流側端部よりもさらに下流側に突出するように位置している。さらにまた、この第１ベルトコンベア４４の下流側先端の先には、フリーで回転するコロ（ローラ）４６を配置している。このコロ４６も搬送路の一部を構成する。図３に示すように、側壁２４ｃ側の帯状フィルム２１の幅方向の側縁（小袋４２が貼り付けられた側）は、側壁２４ｃの内面に沿った状態（図４参照）で搬送され、その後徐々に内側に向けて折り曲げられ、最終的に後段のピンチローラ２９の部分では、帯状フィルム２１の両側縁部２１ａ，２１ａ同士が重なり合う。従って、製袋器２４の通過直後であっても、搬送面（近傍）上に、フィルムが存在していないおそれがあるため、コロ４６により製品１４を受け、スムーズな搬送をするようにしている。さらに、フィルム部位が内側に折り曲がり、それに伴い小袋４２もさらに回転して製品１４に近づいてきたとしても、製品１４の下面側には搬送路を構成するコロ４６が存在しているので、回転途中の小袋４２が製品１４に接触し、製品４２に対してダメージを与えることがない。
【００２８】
製品１４はさらに前進移動し、コロ４６よりもさらに下流側に位置した状態では、帯状フィルム２１が筒状に製袋され、その両側縁が内側に折り曲げられて製品１４の下面側に対向するため、製品１４は、それらフィルムの上に乗って搬送される。このとき、小袋４２は製品１４と接触するが、すでに搬送面と水平になっているため面接触し、製品１４に対してダメージを与えることはない。
【００２９】
そして、小袋４２が貼り付けられた側のフィルム部位が、製品１４の下側（底面側）に折り曲げられた状態では、図３に示すように、小袋４２は、製品１４の下に位置する。よって、最終的に製造される包装体は、図１（ａ）に示すように製品の外周から突出しない状態にすることができる。
【００３０】
なお、コロ４６を設けることで、自転することにより製品１４のスムーズな搬送を補助することができるが、必ずしもコロにする必要はなく、搬送面を構成する板部材でも良いし、その他各種の構成を採ることができる。また、本発明では、コロ４６等の製品を受ける部材は必ずしも設ける必要はなく、製袋器２４内部で側壁２４ｃ側のフィルム部位の折り曲げが行われ、製袋器２４を通過した製品の下側をそのフィルム部位で支えることができるようになっていればよい。
【００３１】
上述した実施形態では、製袋器２４の一方の側壁２４ｃは、平面形状のまま真っ直ぐに下ろすようにし、他方の側壁２４ｂ側は従来と同様にその下端に底板２４ｄを連続して形成するようにしたが、本発明はこれに限ることはなく、例えば図６（ａ）に示すように、両方の側壁２４ｃ，２４ｂ′をともに平坦な面として、下方にそのままのばすようにしても良い。この場合、製袋器２４の底は完全に抜けた開放状態となるので、幅広のベルトコンベア４７を全長に渡って配置する。これにより、製品１４は、製袋器２４内では、ベルトンコンベア４７にて搬送されて通過され、帯状フィルム２１は製袋器２４の内面に沿って、その両側が下方に折り曲げられて製品１４の上面から側面を覆う状態となる。
【００３２】
そして、上述した実施形態と同様に、適宜のタイミングで帯状フィルム２１の両側縁は内側に折り曲げられ、製品１４の下側に位置することになるが、少なくとも小袋４２が取り付けられた側のフィルム部位の折り曲げは、ベルトコンベア４４或いはその後に設けられるコロなど、製品１４の搬送路を構成するベルトコンベア４７の搬送面よりも下側位置で行われるようにする。これにより、製品１４へのダメージを与えることが回避できる。係る構成をとると、製袋器２４の下方全面が開口しているため、ベルトコンベア４７を挿入し易いというメリットを有する。なお、その他の構成並びに作用効果は、上述した実施形態・変形例と同様にすることができる。
【００３３】
また、図６（ｂ）に示すように、製袋器２４の両側壁２４ｂ，２４ｃの下端部に内側に向けて折り曲げられた傾斜ガイド部２４ｅを設けても良い。この傾斜ガイド部２４ｅを設けることで、帯状フィルム２１の両側縁は、その傾斜ガイド部２４ｅに沿って、やや内側に折り曲げられるため、その後に筒状に成型するのが行いやすい。ただし、製袋器２４の下方が完全に開口するのではないので面を湾曲した形状とするとよい。なお、その他の構成並びに作用効果は、上述した実施形態・変形例と同様にすることができる。特に、図６（ａ）、（ｂ）のように左右対称の形状とすれば製袋バランスが取りやすい利点がある。
【符号の説明】
【００３４】
１０  ピロー包装機
１１  製品搬送供給装置
１２  包装機本体
１３  搬出コンベア装置
１４  被包装物
１５  スプロケット
１６  エンドレスチェーン
１７  押送フィンガー
２０  原反ロール
２１  帯状フィルム
２２  ローラ
２４  製袋器
２４ａ  天板
２４ｂ  側壁
２４ｃ  側壁
２４ｄ  底板
２４ｅ  傾斜ガイド部
２５  筒状フィルム
２６  下部ベルト
２７  センターシール装置
２８  上部抑えベルト
２９  ピンチローラ
３０  エンドシール装置
４０  小袋供給装置
４２  小袋
４４  第１ベルトコンベア（搬送面）
４５  第２ベルトコンベア
４６  コロ
【図１】
2011178444.tif 000003
【図２】
2011178444.tif 000004
【図３】
2011178444.tif 000005
【図４】
2011178444.tif 000006
【図５】
2011178444.tif 000007
【図６】
2011178444.tif 000008